(57)【要約】  【課題】装着者への痛みを防ぎ、簡単に装着できると共に容易に外れることのない小型おむつを提供する。  【解決手段】小型おむつ１は、尿を吸収する尿吸収機能を有する、陰茎の亀頭に被せられる袋状キャップ１０と、一方の第一開口２１ａが袋状キャップ１０内に位置し、他方の第二開口２１ｂが袋状キャップ１０外に位置した状態で、袋状キャップ１０のキャップ開口１５付近に連結固定された、装着時に陰茎に装着固定される固定用筒２０と、を備え、固定用筒２０と連結固定される袋状キャップ１０のキャップ開口１５付近は、開口周りにおいて全体の三分の一以上固定用筒２０と連続して連結されずにフリーとなっており、固定用筒２０が陰茎に装着された状態で袋状キャップ１０のみを裏返したり元の状態に戻したりすることができるように構成されている。【選択図】図１
2017189212.tif 000002
【特許請求の範囲】
【請求項１】
尿を吸収保持するために陰茎に装着される男性用の小型おむつにおいて、
前記尿を吸収する尿吸収機能を有する、前記陰茎の亀頭に被せられる袋状キャップと、
一方の第一開口が前記袋状キャップ内に位置し、他方の第二開口が前記袋状キャップ外に位置した状態で、前記袋状キャップのキャップ開口付近に連結固定された、装着時に前記陰茎に装着固定される固定用筒と、を備え、
前記固定用筒と連結固定される前記袋状キャップの前記キャップ開口付近は、開口周りにおいて全体の三分の一以上前記固定用筒と連続して連結されずにフリーとなっており、前記固定用筒が前記陰茎に装着された状態で前記袋状キャップのみを裏返したり元の状態に戻したりすることができるように構成されていることを特徴とする小型おむつ。
【請求項２】
前記固定用筒は、前記第一開口付近が前記袋状キャップの前記キャップ開口付近に連結固定されていることを特徴とする請求項１記載の小型おむつ。
【請求項３】
前記固定用筒の前記第一開口付近は、開口周りにおいて全体の三分の一以上前記袋状キャップと連続して連結されずにフリーとなっていることを特徴とする請求項２記載の小型おむつ。
【請求項４】
前記袋状キャップの前記キャップ開口付近の前記固定用筒と連続して連結されずにフリーとなっている部分は、開口周りにおいて全体の四分の三以下であることを特徴とする請求項１乃至３何れか１項記載の小型おむつ。
【請求項５】
前記袋状キャップ及び前記固定用筒は、高伸縮性のストッキング生地製であり、
前記袋状キャップは、装着時に袋内に収納される尿吸収部材をさらに備えることを特徴とする請求項１乃至４何れか１項記載の小型おむつ。
【発明の詳細な説明】
【技術分野】
【０００１】
本発明は、陰茎に装着して使用する男性用の小型おむつに関する。
【背景技術】
【０００２】
従来から、男性の陰茎からの尿漏れに対処するために、陰茎に直接装着して使用するタイプのおむつが提供されており、例えば、下記特許文献１〜３に開示されている。パンツタイプのおむつの場合、いったん装着すれば、脱げることはほとんど無いが、陰茎に直接装着する小型おむつの場合、装着後に陰茎が抜けて外れ易いという問題がある。
【０００３】
これに対応するため、引用文献１，２においては、小型おむつの陰茎の入口である開口部分に開口を締め付ける締付部材を設置し、陰茎が抜けるのを防止している。また、引用文献３においては、小型おむつの袋状本体の内面に陰茎を挿し込ませる挿嵌用バンドを設置し、装着時に袋状本体の内面と挿嵌用バンドとの間に陰茎を挿し込んでおくことで、陰茎が抜けるのを防止している。
【先行技術文献】
【特許文献】
【０００４】
【特許文献１】特開２０１３−２３０３９５号公報
【特許文献２】特開２０１０−２０７２９９号公報
【特許文献３】登録実用新案第３０３４６６４号公報
【発明の概要】
【発明が解決しようとする課題】
【０００５】
しかし、引用文献１，２に開示された方法では、締め付ける力が弱いと陰茎が抜け易くなり、締め付ける力が強すぎると、装着者が陰茎に痛みを感じてしまうという問題がある。また、引用文献３に開示された方法では、装着時に袋状本体の内部に設置された挿嵌用バンドと袋内面との間に陰茎を通す必要があり、装着するのに手間がかかる。
【０００６】
本発明は、このような課題に鑑みてなされたものであり、陰茎に装着するタイプの小型おむつであって、装着者への痛みを防ぎ、簡単に装着できると共に容易に外れることのない小型おむつを提供することを目的とする。
【課題を解決するための手段】
【０００７】
上記課題を解決するための本発明に係る小型おむつは、尿を吸収保持するために陰茎に装着される男性用の小型おむつにおいて、前記尿を吸収する尿吸収機能を有する、前記陰茎の亀頭に被せられる袋状キャップと、一方の第一開口が前記袋状キャップ内に位置し、他方の第二開口が前記袋状キャップ外に位置した状態で、前記袋状キャップのキャップ開口付近に連結固定された、装着時に前記陰茎に装着固定される固定用筒と、を備え、前記固定用筒と連結固定される前記袋状キャップの前記キャップ開口付近は、開口周りにおいて全体の三分の一以上前記固定用筒と連続して連結されずにフリーとなっており、前記固定用筒が前記陰茎に装着された状態で前記袋状キャップのみを裏返したり元の状態に戻したりすることができるように構成されていることを特徴とする。
【発明の効果】
【０００８】
本発明に係る小型おむつによれば、簡単に装着することができ、装着者への痛みも少なく、容易に外れることもない。
【図面の簡単な説明】
【０００９】
【図１】図１は、本発明の実施形態に係る小型おむつの斜視図である。
【図２】図２は、本発明の実施形態に係る小型おむつの袋状キャップを裏返した状態の斜視図である。
【図３】図３は、本発明の実施形態に係る小型おむつの側面図である。
【図４】図４は、本発明の実施形態に係る小型おむつの袋状キャップを裏返した状態の側面図である。
【図５】図５は、本発明の実施形態に係る小型おむつの装着手順を説明するための図である。
【図６】図６は、本発明の実施形態に係る小型おむつの装着手順を説明するための図である。
【図７】図７は、本発明の実施形態の変形例１に係る小型おむつの袋状キャップを裏返した状態の斜視図である。
【図８】図８は、本発明の実施形態の変形例２に係る小型おむつの袋状キャップを裏返した状態の側面図である。
【発明を実施するための形態】
【００１０】
以下、図面を参照しながら本発明の実施形態に係る男性用の小型おむつについて説明する。図１は、本実施形態に係る小型おむつの斜視図である。図２は、本実施形態に係る小型おむつの袋状キャップを裏返した状態の斜視図である。図３は、本実施形態に係る小型おむつの側面図である。図４は、本実施形態に係る小型おむつの袋状キャップを裏返した状態の側面図である。図３及び図４は、小型おむつを平らに置いた平置き状態を示している。
【００１１】
小型おむつ１は、陰茎の亀頭部分を覆って被せられる袋状キャップ１０と、装着時に陰茎に対して装着固定される固定用筒２０とを備えている。袋状キャップ１０は、ネル生地製であり、帯状のネル生地を二つに折り返して両側縁部を縫い合わせた構造である。袋状キャップ１０の両側縁には縫製部１２が形成され、縫製されていない端部は、装着時に陰茎が挿入されるキャップ開口１５となる。
【００１２】
ネル生地は、少量の液体を吸収して保持する機能を有している。ネル生地製の袋状キャップ１０は、装着されている陰茎から漏れる尿を吸収保持する尿吸収機能を有しており、本実施形態では、4cc程度の尿を吸収保持することができる。
【００１３】
固定用筒２０は、ストッキング生地製の筒体であり、長方形状のストッキング生地を二枚重ね合わせて両側縁部をヒートシール（熱融着）により固着した構造である。このように熱融着された部分がヒートシール部２２であり、ヒートシール部２２は、固定用筒２０の筒長方向において一端から他端まで連続して延在して形成されている。固定用筒２０は、一方の端部に第一開口２１ａが形成され、他方の端部に第二開口２１ｂが形成されている。ヒートシール部２２が形成された固定用筒２０の両側縁部は、ヒダ部２３を構成している。
【００１４】
ヒートシール部２２は、ヒダ部２３の部分だけではなく、二つのヒダ部２３の間の中央部分にもヒートシール部２２が第一開口２１ａから第二開口２１ｂの部分にかけて延在して形成されている。固定用筒２０の開口２１ａ，２１ｂの部分は、両端が折り返された状態でヒートシール部２２によって固定されることで、開口端部のほつれを防止するための折返し部２４が形成されている。
【００１５】
固定用筒２０は、第一開口２１ａ側の一部が袋状キャップ１０内に挿入された状態、すなわち、第一開口２１ａが袋状キャップ１０の内側に位置すると共に、第二開口２１ｂが袋状キャップ１０の外側に位置する状態で、袋状キャップ１０のキャップ開口１５付近に連結固定されている。固定用筒２０の袋状キャップ１０内への挿入部分の長さは、筒長方向において固定用筒２０の三分の一程度である。
【００１６】
固定用筒２０は、第一開口２１ａ付近が袋状キャップ１０のキャップ開口１５付近の内面に連結固定されている。固定用筒２０の袋状キャップ１０との連結部分であるキャップ連結部２７は、固定用筒２０の周方向の開口周りにおいて、略90°間隔で三箇所（0°、90°、180°）に設置されている。よって、固定用筒２０のキャップ連結部２７が位置する第一開口２１ａ付近は、周方向の開口周りにおいて、全体の半分の部分（略180°の部分）が連続して袋状キャップ１０に対して連結されずにフリーな状態となっている。
【００１７】
固定用筒２０は、袋状キャップ１０の内面に対して、ヒートシール（熱融着）により固着されている。ストッキング生地は、ネル生地よりも融点が低く、固定用筒２０と袋状キャップ１０とが接触した状態で、固定用筒２０側が加熱されると、ストッキング生地が溶融してネル生地の隙間に入り込み、その後ストッキング生地が冷却・固化することで、固定用筒２０と袋状キャップ１０とが強固に固着される。
【００１８】
一方、袋状キャップ１０の固定用筒２０との連結部分である筒連結部１７は、キャップ開口１５の開口周りにおいて略60°間隔で三箇所（0°、60°、120°）に設置されている。よって、袋状キャップ１０の筒連結部１７が位置するキャップ開口１５付近は、開口周りにおいて、全体の略三分の二（略240°）の部分が連続して固定用筒２０に対して連結されずにフリーな状態となっている。
【００１９】
ここで、小型おむつ１のサイズについて説明する。袋状キャップ１０側を上側、固定用筒２０側を下側として、袋状キャップ１０は、平らに置いた平置き状態において、上辺5cm、下辺7cm、高さ5cmの略逆台形である。固定用筒２０は、同じく平置き状態において、縦4cm、横4cmの略正方形であり、袋状キャップ１０内に位置する部分の長さは、略1.3cmである。
【００２０】
以上、小型おむつ１の構成について説明したが、小型おむつ１の使用態様について説明する。図５及び図６は、小型おむつの装着手順を説明するための図であり、図５は、陰茎に装着する途中の小型おむつの状態を示し、図６は、陰茎に装着後の小型おむつの状態を示している。
【００２１】
小型おむつ１の装着にあたっては、まず、袋状キャップ１０を裏返して、内面が外側に露出した状態にする（図２参照）。袋状キャップ１０が裏返された状態では、袋状キャップ１０の内面に連結固定された固定用筒２０は、全体が袋状キャップ１０の外側に露出した状態となる。
【００２２】
上述したように、本実施形態では、袋状キャップ１０のキャップ開口１５付近は、開口周りにおいて全体の半分以上の略240°の部分が固定用筒２０に対して連続して固定により拘束されないフリーな状態となっているため、小型おむつ１は、固定用筒２０はそのままの状態で、袋状キャップ１０のみを容易に裏返した状態にすることができる。
【００２３】
続いて、袋状キャップ１０を裏返した状態のまま、陰茎Ｐを第二開口２１ｂ側から固定用筒２０内に挿入して、陰茎Ｐに固定用筒２０を貫通させる（図５参照）。固定用筒２０は、高伸縮性のストッキング生地から製造されており、筒径が広がるように引っ張ることで、容易に陰茎Ｐを挿入させることができる。
【００２４】
このとき、図５に示すように、陰茎Ｐの亀頭Ｋが固定用筒２０を通り抜けて、第一開口２１ａ側に完全に露出する状態まで、陰茎Ｐを固定用筒２０内に挿入するのが望ましい。このように亀頭Ｋが飛び出すまで貫通させれば、固定用筒２０は、全体が陰茎Ｐにおいて亀頭Ｋよりも根元側に位置するため、陰茎Ｐが固定用筒２０から抜けようとしても亀頭のカリの部分に引っ掛かって容易に抜けることはなく、小型おむつ１を陰茎Ｐに対して安定して装着することができる。
【００２５】
続いて、固定用筒２０を陰茎Ｐに装着したまま、裏返し状態の袋状キャップ１０を元に戻し、亀頭Ｋを覆うように被せる（図６参照）。上述したように、袋状キャップ１０のキャップ開口１５付近は、開口周りにおいて全体の二分の一以上の部分が固定用筒２０に対してフリーな状態であるため、固定用筒２０を陰茎Ｐに装着したまま、袋状キャップ１０のみを容易に裏返し状態から元に戻すことができる。
【００２６】
袋状キャップ１０を元に戻して亀頭Ｋに被せた後、袋状キャップ１０及び固定用筒２０の位置を適宜調整することで、図６に示すように、小型おむつ１の装着が完了する。
【００２７】
本装着方法によれば、固定用筒２０を陰茎Ｐに装着する前に、袋状キャップ１０を裏返し状態にして、固定用筒２０の全体が袋状キャップ１０の外側に露出しているので、固定用筒２０を陰茎Ｐに対して容易に優しく装着することができる。
【００２８】
また、袋状キャップ１０を亀頭Ｋに被せるにあたって、裏返した状態から元の状態に戻しながら被せることで、陰茎Ｐに対して袋状キャップ１０を容易に優しく被せることができる。
【００２９】
例えば、避妊具のコンドームは、裏返しながら巻いた状態から、元の状態に戻しながら陰茎に装着することで、筒状のコンドームの入口を広げながら陰茎にそのまま装着する場合よりも、装着時の痛みを軽減し、優しく装着することができる。本実施形態においても、袋状キャップ１０を裏返した状態から元の状態に戻しながら優しく被せることで、装着時の痛みを防ぐことができる。
【００３０】
以上、本実施形態に係る小型おむつ１を陰茎Ｐに装着しておくと、装着者が少量の尿漏れをしたとしても、袋状キャップ１０のネル生地が漏れた尿を吸収して保持することができ、軽い尿漏れの際にズボンの股間部分が濡れてしまって、他人に尿漏れが気付かれてしまうことを防ぐことができる。
【００３１】
また、小型おむつ１は、股間全体に装着する大人用おむつと違って、陰茎Ｐに装着する小型のおむつであるため、装着時に、おむつの装着部分が痒くなってしまったり、ズボンの腰回りが膨らんでしまって、おむつを装着していることが外観で分かってしまったりすることがなく、従来のパンツタイプの大型おむつと比べて格段に快適に装着することができる。
【００３２】
また、小型おむつ１は、装着後、固定用筒２０を陰茎Ｐに装着したまま、袋状キャップ１０のみを裏返せば、亀頭Ｋを露出することができる。すなわち、小型おむつ１であれば、小便をする度に全体を外す必要がなく、容易に外すことのできる袋状キャップ１０を裏返すだけで、排尿を行うことができ、小便を済ませた後は、裏返した袋状キャップ１０を再度元に戻して亀頭Ｋに被せるという簡単な作業を行うことで、装着状態を元に戻すことができる。
【００３３】
ここで、小型おむつ１の対象である軽い尿漏れは、小便をした後に、尿道の中に残っている残尿が外に排出されて漏れてしまう残尿漏れがほとんどであり、残尿漏れ対策には、排尿後に毎回おむつを装着しておくことが重要である。
【００３４】
これに対して、小型おむつ１であれば、小便をする際に、袋状キャップ１０を裏返す作業と元に戻す作業とを行うだけで良く、固定用筒２０は陰茎Ｐに装着したたままで良い。よって、小便をした後に、おむつの装着忘れを防ぎ、小便後の尿漏れによる被害を確実に防ぐことができる。
【００３５】
なお、本実施形態では、袋状キャップ１０内にティッシュや脱脂綿等の水分を吸収保持しておくことのできる尿吸収部材をさらに設置するようにしても良い。尿吸収部材を追加することで、尿の吸収量を増加させることができ、尿漏れによりズボンが濡れる等の被害をより確実に防ぐことができる。
【００３６】
続いて、袋状キャップ１０と固定用筒２０との連結態様について考察する。本実施形態では、上述したように、固定用筒２０の第一開口２１ａ付近に連結固定されている袋状キャップ１０のキャップ開口１５付近は、開口周りにおいて全体の略三分の二（240°）の部分が連続して固定用筒２０に連結固定されずにフリーな状態となっている。これにより、固定用筒２０を陰茎Ｐに装着したまま、袋状キャップ１０のみを裏返して陰茎Ｐから外したり、裏返し状態から元に戻して陰茎Ｐに装着したりできるという作用効果を奏することができる。
【００３７】
このような作用効果を奏するためには、袋状キャップ１０のキャップ開口１５付近において、固定用筒２０に固定されずにフリーになっている部分が、開口周りにおいて、連続して全体の二分の一（180°）以上であるのが望ましい。但し、袋状キャップ１０の素材が、例えば、ストッキング生地のように高伸縮性の生地である場合には、拘束されずに連続してフリーになっている部分が全体の三分の一（120°）以上であれば、上述した作用効果を奏することができる。
【００３８】
一方、袋状キャップ１０の固定用筒２０に固定されずにフリーになっている部分が、開口周りにおいて連続して全体の四分の三（270°）より大きくなると、小型おむつ１の操作性が悪くなるので望ましくない。
【００３９】
例えば、袋状キャップ１０の筒連結部１７が一箇所のみで、開口周りにおいて350°程度フリーになっていると、袋状キャップ１０と固定用筒２０とが相対的に回転してしまって、裏返し状態かどうか分かりづらくなったり、袋状キャップ１０と固定用筒２０とが絡んでしまって、袋状キャップ１０を裏返したり元に戻したりする作業がやり難くなったりしてしまう。よって、袋状キャップ１０の開口周りに関して、連続してフリーとなっている部分は、全体の四分の三（270°）以下であることが望ましい。
【００４０】
また、固定用筒２０に関しても、袋状キャップ１０と連結固定されている第一開口２１ａ付近の連結部分が、周方向の開口周りにおいて長くなると、固定用筒２０を陰茎Ｐに固定した際に、袋状キャップ１０のキャップ開口１５付近が開口周りに陰茎Ｐを取り囲むように拘束されることになり、亀頭Ｋに対して袋状キャップ１０を着脱する際の支障になるおそれもある。
【００４１】
よって、固定用筒２０の袋状キャップ１０との連結部分も、周方向において、連続して全体の二分の一以上連結されずにフリーとなっているのが望ましい。但し、本実施形態のストッキング生地のように、固定用筒２０の素材が高伸縮性の生地である場合には、連続してフリーになっている部分が三分の一（120°）以上であれば良い。
【００４２】
なお、本実施形態では、袋状キャップ１０と固定用筒２０との連結部１７，２７は、それぞれの開口周りにおいて所定の間隔で三箇所に形成されており、隣接する連結部１７，２７の間は拘束されずにフリーになっている。
【００４３】
ヒートシールされた部分は、固くなって伸縮性が低下するため、このように、袋状キャップ１０と固定用筒２０との連結部分を開口周りに連続して延在させて形成するのではなく、所定の間隔を空けて複数箇所に設置することで、ヒートシールによる伸縮性の低下を防ぐこともできる。
【００４４】
もちろん、連結部１７，２７は、袋状キャップ１０のキャップ開口１５の開口周り、固定用筒２０の第一開口２１ａの開口周りに所定の長さ連続して延在するように形成しても良い。
【００４５】
続いて、本実施形態の変形例１について説明する。図７は、本実施形態の変形例１に係る小型おむつの袋状キャップを裏返した状態の斜視図である。上記実施形態では、袋状キャップ１０がネル生地製であったが、本変形例１は、袋状キャップ１０’が固定用筒２０と同じストッキング生地製であると共に、袋状キャップ１０’内に設置された尿吸収部材１８をさらに備えることを特徴としており、その他の構成は上記実施形態と同様であるため、ここでは異なる構成を中心に説明する。
【００４６】
袋状キャップ１０’は、ストッキング生地製であり、上記実施形態の袋状キャップ１０とは形状が少し異なる。袋状キャップ１０’は、平らに置いた平置き状態において、縦4cm、横4cmの略正方形であり、固定用筒２０と略同じ形状である。
【００４７】
袋状キャップ１０’の固定用筒２０が連結された筒連結部１７は、袋状キャップ１０’のキャップ開口１５の開口周りにおいて、略90°間隔で三箇所（0°、90°、180°）に設置されている。よって、袋状キャップ１０’のキャップ開口１５付近は、開口周りにおいて、略二分の一（略180°）の部分が連続して固定用筒２０に対して連結されずにフリーな状態となっている。
【００４８】
尿吸収部材１８は、ティッシュや脱脂綿等の水分を吸収保持しておくことのできるものである。本変形例１に係る袋状キャップ１０’は、ストッキング生地製であり、尿の吸収力が弱いため、袋状キャップ１０’の袋内に尿吸収機能を有する尿吸収部材１８を設置している。
【００４９】
尿吸収部材１８は、袋状キャップ１０’を亀頭Ｋに被せる際に袋内に設置するようにすれば良い。また、尿吸収部材１８が装着者の漏らした尿を吸収した後は、尿吸収部材１８を新しい物に交換すれば良い。
【００５０】
本変形例１によれば、上記実施形態と同様の作用効果を奏すると共に、袋状キャップ１０’の素材としてストッキング生地製を採用したことで、袋状キャップ１０がより陰茎Ｐに密着し、おむつを装着することによるズボンの腰回りの膨らみを確実に抑えることができる。
【００５１】
次に、本実施形態の変形例２について説明する。図８は、本実施形態の変形例２に係る小型おむつの袋状キャップを裏返した状態の側面図であり、小型おむつを平らに置いた平置き状態を示している。本変形例２は、固定用筒２０’の縦の長さが上記実施形態と比べて長くなっていることを特徴とし、その他の構成は上記実施形態と同様であるため、ここでは異なる構成を中心に説明する。
【００５２】
固定用筒２０’は、平置き状態において、縦8cm、横4cmの略長方形状であり、袋状キャップ１０内に位置する部分は、略1.3cmである。
【００５３】
本変形例２によれば、上記実施形態と同様の作用効果を奏すると共に、陰茎Ｐに装着される固定用筒２０’が縦長であり、陰茎Ｐに対して確実に安定して小型おむつ１を装着することができる。
【００５４】
以上、変形例も含めて本発明の実施形態について詳細に説明したが、本発明の実施の形態は上述した形態に限定されるものではなく、本発明の主旨を逸脱しない範囲内で種々の変形が可能である。例えば、上述した実施形態に係る小型おむつを構成する部材のサイズや形状、素材等は適宜変更可能である。
【符号の説明】
【００５５】
１，２，３  小型おむつ
１０        袋状キャップ
１２        縫製部
１５        キャップ開口
１７        筒連結部
１８        尿吸収部材
２０        固定用筒
２１ａ      第一開口
２１ｂ      第二開口
２２        ヒートシール部
２３        ヒダ部
２４        折返し部
２７        キャップ連結部
【図１】
2017189212.tif 000003
【図２】
2017189212.tif 000004
【図３】
2017189212.tif 000005
【図４】
2017189212.tif 000006
【図５】
2017189212.tif 000007
【図６】
2017189212.tif 000008
【図７】
2017189212.tif 000009
【図８】
2017189212.tif 000010